【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
コンピュータに実装される方法において、
ウェブサーバからウェブページを要求する工程であって、該ウェブページはソーシャルネットワーキングシステムのドメインとは異なるサードパーティウェブサイトのドメイン内にある前記工程と、
ユーザデバイスにおいて、要求された前記ウェブページのマークアップ言語ドキュメントを受け取る工程と、
前記ソーシャルネットワーキングシステムから、要求された前記ウェブページ内に提示するための情報を要求する情報要求工程と、
前記ユーザデバイスに関連付けられているユーザの識別情報を前記ソーシャルネットワーキングシステムに提供する工程と、
前記ソーシャルネットワーキングシステムから、要求された前記情報を受け取る工程であって、受け取られた前記情報はソーシャルコンテンツと少なくとも１つの広告とを含み、受け取られた前記情報は、前記ユーザに関連付けられているソーシャル情報に基づいて、前記ソーシャルネットワーキングシステムによって決定された情報である、前記工程と、
前記ウェブページ内で要求され受け取られた前記情報に基づいて、前記ウェブページとコンテンツとのレンダリングを行う工程と、
レンダリング済みの前記ウェブページを表示する工程と、
を備える方法。
【請求項２】
前記マークアップ言語ドキュメントは、前記ウェブページ内に、前記ソーシャルネットワーキングシステムから取得された情報を含むフレームを作成する命令を有する、請求項１に記載の方法。
【請求項３】
前記ソーシャルネットワーキングシステムからの前記情報は、前記マークアップ言語ドキュメント中の前記命令に基づいて要求される、請求項２に記載の方法。
【請求項４】
前記情報要求工程は、要求された前記情報を選択するための１つ以上のパラメータを前記ソーシャルネットワーキングシステムに提供する工程を含み、前記ソーシャルネットワーキングシステムから受け取られた要求された前記情報は前記パラメータに基づいて選択
される、請求項１に記載の方法。
【請求項５】
前記１つ以上のパラメータは、要求された前記情報の統一資源位置指定子（ＵＲＬ）、ドメイン、またはネットワークアドレスを少なくとも含む、請求項４に記載の方法。
【請求項６】
１つ以上の前記パラメータは、１つ以上の広告を提供するための認可を含む、請求項４に記載の方法。
【請求項７】
１つ以上の前記パラメータは、要求された前記情報に含まれるソーシャルコンテンツの量と広告の数とを示す指示を含む、請求項４に記載の方法。
【請求項８】
前記方法はさらに、
前記ソーシャルネットワーキングシステムに、前記ユーザが前記ソーシャルネットワーキングシステムに既存のセッションを有するか否かを示す指示を提供する工程を備える、請求項１に記載の方法。
【請求項９】
前記少なくとも１つの広告は、前記ユーザが前記ソーシャルネットワーキングシステムにおいて繋がりを構築した１人以上の他のユーザによって行われる１つ以上のアクションに関する広告を含む、請求項１に記載の方法。
【請求項１０】
アクションはグループから選択され、該グループは、前記サードパーティウェブサイトへの関心を表すこと、前記ソーシャルネットワーキングシステムに前記サードパーティウェブサイトについて論じるコメントをポストすること、前記ソーシャルネットワーキングシステムに前記サードパーティウェブサイトに関連付けられている識別子をポストすること、前記サードパーティウェブサイトに関連付けられているイベントに出席すること、及びこれらの任意の組合せから成る、請求項９に記載の方法。
【請求項１１】
コンピュータに実装される方法において、
マークアップ言語ドキュメント中の命令に基づく情報の要求を、ソーシャルネットワーキングシステムのサーバにおいて受け取る工程であって、情報の前記要求は、前記ソーシャルネットワーキングシステムのドメインとは異なるサードパーティウェブサイトのドメイン内にあるサードパーティウェブサイトのウェブページの要求に応じるものであり、情報の前記要求は１つ以上の広告を選択するための認可を有する前記工程と、
前記要求に関連付けられているユーザを識別する工程と、
識別された前記ユーザに関連付けられている情報を、前記ソーシャルネットワーキングシステムによって取り出す工程と、
識別された前記ユーザに関連付けられている取り出された前記情報に基づいて、前記ユーザに関連付けられているソーシャルコンテンツを決定する工程と、
前記ソーシャルネットワーキングシステムによって提供される１つ以上の広告を選択する広告選択工程と、
決定された前記ソーシャルコンテンツ及び少なくとも１つの選択された広告から、要求された前記情報を生成する情報生成工程と、
要求された前記情報を、前記ウェブページに表示されるコンテンツとしてレンダリングを行うために送る工程と、
を備える方法。
【請求項１２】
前記広告選択工程は、
複数の広告候補を選択する工程であって、各広告候補は、識別された前記ユーザに関連付けられている取り出された前記情報が満たすターゲティング基準に関連付けられている、前記工程と、
前記複数の広告候補の各々に関連付けられている期待値を決定する工程と、
前記期待値に少なくとも部分的に基づいて、前記複数の広告候補のランク付けを行う工程と、
前記ランク付けに少なくとも部分的に基づいて、１つ以上の広告候補を選択する工程と、
を含む、請求項１１に記載の方法。
【請求項１３】
前記情報生成工程は、
情報の前記要求に含まれる変換係数に基づいて、決定されたソーシャルコンテンツの量を選択する工程と、
情報の前記要求に含まれる前記変換係数に基づいて、選択された広告の数を選択する工程と、
を含む、請求項１１に記載の方法。
【請求項１４】
前記変換係数は、識別された前記ユーザに関連付けられている取り出された前記情報と、識別された前記ユーザに関連付けられている取り出された前記情報が満たす１つ以上の基準に関連付けられている変換係数とに基づいて決定される、請求項１３に記載の方法。
【請求項１５】
前記広告選択工程は、
識別された前記ユーザに関連付けられている取り出された前記情報と、情報の前記要求によって指定されたパラメータに関連付けられている１つ以上のオブジェクトとに基づいて１つ以上の広告を選択する工程を含む、請求項１１に記載の方法。
【請求項１６】
前記少なくとも１つの選択された広告は、前記ユーザが前記ソーシャルネットワーキングシステムにおいて繋がりを構築した１人以上の他のユーザによって行われる１つ以上のアクションに関する広告を含む、請求項１１に記載の方法。
【請求項１７】
アクションはグループから選択され、該グループは、前記サードパーティウェブサイトへの関心を表すこと、前記ソーシャルネットワーキングシステムに前記サードパーティウェブサイトについて論じるコメントをポストすること、前記ソーシャルネットワーキングシステムに前記サードパーティウェブサイトに関連付けられている識別子をポストすること、前記サードパーティウェブサイトに関連付けられているイベントに出席すること、及びこれらの任意の組合せの少なくとも１つから成る、請求項１６に記載の方法。
【手続補正２】
【補正対象書類名】明細書
【補正対象項目名】００２５
【補正方法】変更
【補正の内容】
【００２５】
追加的に、ユーザアクションは、ソーシャルネットワーキングシステム１３０から分離したサードパーティウェブサイト１２０などの、中核のソーシャルネットワーキングシステム１３０の外のエンティティに関連付けられてもよい。例えば、アクションロガー２１５は、ウェブサーバ２１０からユーザのサードパーティウェブサイト１２０との対話を記述するデータを受け取る。ユーザがサードパーティウェブサイト１２０と対話するアクションの例は、ユーザがサードパーティウェブサイト１２０若しくは他のエンティティに関心を表すこと、サードパーティウェブサイト１２０若しくはサードパーティウェブサイト１２０内のウェブページ１２２について論じるコメントをユーザがソーシャルネットワーキングシステム１３０にポストすること、サードパーティウェブサイト１２０に関連付けられる統一資源位置指定子（ＵＲＬ）若しくは他の識別子をユーザがソーシャルネットワーキングシステム１３０にポストすること、サードパーティウェブサイト１２０に関連す
るイベントにユーザが出席すること、またはユーザによる、サードパーティウェブサイト１２０に関連付けられる任意の他のアクションを含める。ひいては、アクションログ２４０は、ソーシャルネットワーキングシステムのユーザと、ソーシャルネットワーキングシステム１３０から分離しているサードパーティウェブサイト１２０との間の対話を記述するアクションを有してもよい。